(57)【要約】【課題】節度感を有する制動力調節体を具備した制動装置を有し、実釣時における制動力の調節操作性を向上した魚釣用リールを提供する。【解決手段】本発明の魚釣用リールは、リール本体１に回転可能に支持したスプール５ａの回転に制動力を付与する制動装置２０と、リール本体１に回転自在に支持され、制動装置２０の制動力を調節する制動力調節体５０とを備えており、制動力調節体５０とリール本体１のいずれか一方にバネ付勢された係合部材６２と、他方に形成された周方向凹凸部５７ｂとの係合により、制動力調節体５０の回転方向に節度のある抵抗力を付与する。そして、周方向凹凸部５７ｂの一部に、係合部材６２の係合状態を変化させる係合変化部を設ける。【選択図】図１
2009142213.tif 000002
【特許請求の範囲】
【請求項１】
リール本体に回転可能に支持したスプールの回転に制動力を付与する制動装置と、前記リール本体に回転自在に支持され、前記制動装置の制動力を調節する制動力調節体とを備え、前記制動力調節体とリール本体のいずれか一方にバネ付勢された係合部材と、他方に形成された周方向凹凸部との係合により、前記制動力調節体の回転方向に節度のある抵抗力を付与した魚釣用リールにおいて、
前記周方向凹凸部の一部に、前記係合部材の係合状態を変化させる係合変化部を設けたことを特徴とする魚釣用リール。
【請求項２】
前記係合変化部は、制動力調節体の制動Ｍａｘ位置、制動力調節体の制動Ｍｉｎ位置、及び、前記制動Ｍａｘ位置と制動Ｍｉｎ位置の中間位置の内、少なくとも一つの位置に設けられていることを特徴とする請求項１に記載の魚釣用リール。
【発明の詳細な説明】
【技術分野】
【０００１】
本発明は、リール本体に回転自在に支持したスプールに制動力を付与する制動装置を備えた魚釣用リールに関する。
【背景技術】
【０００２】
従来、魚釣用リールでは、クラッチ機構の操作でスプールフリー状態に切換え後、キャスティング操作によって釣糸（仕掛け）を所定のポイントへ放出する際、釣糸の引き出し速度よりスプールの回転速度が速くなると、バックラッシュ現象が生じて糸絡みや食い込み等の不具合が発生するため、制動装置（バックラッシュ防止装置とも称する）を装備することが行われている。この制動装置は、スプールの回転に制動力を付与する構成となっており、リール本体の一方の側板に設けられた制動力調節体を回転操作することでスプールに対する制動力を調節するようになっている。
【０００３】
ところで、上記した制動力調節体は、例えば、特許文献１や特許文献２に開示されているように、バネ付勢された係合部材を周方向凹凸部に係合させることで、制動力調節体の回転方向に抵抗力を付与し、所定の角度毎に節度感を与えて微調節が容易にできるように構成されている。
【特許文献１】実開昭５８−１２２９６５号公報
【特許文献２】実開昭６２−８９９８１号公報
【発明の開示】
【発明が解決しようとする課題】
【０００４】
上記した公知技術では、制動力調節体を回転操作して制動力を調節する際に、回転方向に節度感をもって希望位置へ回転操作することになるが、回転方向の規則正しい抵抗感のある回転操作となるために、回転量、つまり制動力の調節具合が感覚的に認識し難い。このため、実釣時に釣人は、側板に支持された制動力調節体の回転操作による調節位置を、目視により側板との相対位置で確認することになり、実釣時における制動力の調節操作性に劣るという問題がある。
【０００５】
そして、このような問題は、調節が容易な外方に突出部を有さないダイヤル形態の制動力調節体に多く見られる。
【０００６】
本発明は、上記した問題に着目してなされたものであり、節度感を有する制動力調節体を具備した制動装置を有する魚釣用リールにおいて、実釣時における制動力の調節操作性を向上した魚釣用リールを提供することを目的とする。
【課題を解決するための手段】
【０００７】
上記した目的を達成するために、本発明に係る魚釣用リールは、リール本体に回転可能に支持したスプールの回転に制動力を付与する制動装置と、前記リール本体に回転自在に支持され、前記制動装置の制動力を調節する制動力調節体とを備え、前記制動力調節体とリール本体のいずれか一方にバネ付勢された係合部材と、他方に形成された周方向凹凸部との係合により、前記制動力調節体の回転方向に節度のある抵抗力を付与した構成において、前記周方向凹凸部の一部に、前記係合部材の係合状態を変化させる係合変化部を設けたことを特徴とする。
【０００８】
上記した構成によれば、制動力調節体を回転操作して制動力を調節する際に、係合部材が係合変化部に係合すると、それまでの規則正しい一定の作動音から音質が異なる作動音が生じるため、制動力の調節具合を、釣人の聴覚や指の感覚を通して認識できるようになり、実釣時における調節操作性の向上が図れる。
【発明の効果】
【０００９】
本発明によれば、節度感を有する制動力調節体を具備した制動装置を有する魚釣用リールにおいて、実釣時における制動力の調節操作性を向上した魚釣用リールが得られる。
【発明を実施するための最良の形態】
【００１０】
図１から図４は、本発明に係る魚釣用リールの一実施形態を示す図であり、図１は内部構成を示した平面図、図２は図１の主要部を拡大して示す図、図３は制動力調節体の内部構成を示した側面図、そして、図４は、図３の主要部を拡大して示す図である。
【００１１】
本実施形態に係る魚釣用リール（両軸受型リール）のリール本体１は、左右カバー２ａ，２ｂと、両カバー２ａ，２ｂによって覆われた左右のフレーム３ａ，３ｂとを具備する左右側板１Ａ，１Ｂを有している。前記左右の側板１Ａ，１Ｂ間には、スプール軸５が軸受７を介して回転自在に支持されており、スプール軸５には、釣糸が巻回されるスプール５ａが一体的に固定されている。
【００１２】
前記右フレーム３ｂから突出するスプール軸５の端部には、スプール軸５の軸方向に沿って移動可能なピニオンギヤ８が取り付けられている。このピニオンギヤ８は、図示しない公知の切換手段によって、スプール軸５と係合してスプール軸５と一体に回転する係合位置（動力伝達状態）と、スプール軸５との係合状態が解除される非係合位置（動力遮断状態）との間で移動される。また、ピニオンギヤ８には、ハンドル軸９に支持されたドライブギヤ１０が噛合しており、ハンドル軸９の端部に装着されたハンドル９ａを回転操作すると、前記ドライブギヤ１０とピニオンギヤ８とを介して、スプール軸５が回転駆動され、それに伴ってスプール５ａが回転される。
【００１３】
なお、前記ハンドル軸９とドライブギヤ１０との間には、公知のドラグ機構１２が設置されており、魚が掛かって釣糸が繰り出された場合等、スプール５ａに対して所望の制動力を付与できるようになっている。
【００１４】
また、本実施形態では、左側板側に、釣糸放出操作（主にキャスティング操作）の際にスプール５ａの過回転を防止する制動装置２０が配設されている。この制動装置２０は、磁石によってスプール５ａに対して制動力を付与する構成となっており、スプール軸５に対して軸方向に沿って移動可能で回り止め嵌合された移動体２１と、移動体２１の外周面に所定間隔をおいて径方向に移動可能に保持された遠心カラー２３とを有している。これらの遠心カラー２３は、スプール軸５（および移動体２１）がスプール５ａと共に回転した際に、遠心力によって径方向外側に移動するようになっている。
【００１５】
また、前記遠心カラー２３の左カバー側の移動体２１には、環状の導電体２５が支持されている。この導電体２５は、前記移動体２１の移動に伴って、スプール軸５に対して軸方向に移動可能となっている。そして、前記スプール５ａの釣糸巻回面の裏面側には、左フレーム３ａ側に向けて次第に拡径するテーパ面５ｂが形成されている。このテーパ面５ｂは、前記遠心カラー２３が径方向外側に移動する際に、遠心カラー２３の外面に形成された傾斜面２３ａと面接触（係合）して、遠心カラー２３の移動を案内するようになっている。すなわち、移動体２１に支持された遠心カラー２３は、スプール軸５（スプール５ａ）の回転に伴う遠心力により、傾斜面２３ａとテーパ面５ｂとの係合作用によって径方向に移動すると共に、テーパ面５ｂに沿って案内され、これにより、環状の導電体２５が支持された移動体２１を、左カバー２ａ側へと軸方向に移動させるようになっている。
【００１６】
また、スプール軸５の一端部に固定されたリテーナ２６と移動体２１との間には、移動体２１をスプール５ａ側方向に向けて常時付勢する（導電体２５を、後述する磁石の磁界から離れる方向に向けてスプール５ａ側へと常時付勢する）バネ部材２７が介挿されている。
【００１７】
さらに、前記制動装置２０は、リール本体を構成する左側板１Ａ側に配設され、前記軸方向に移動可能な導電体２５との間で磁力を作用させる磁石３０を備えている。この磁石３０は、スプール５ａの回転に伴って軸方向に進退する前記導電体２５に対し、磁力を付与して導電体２５に対して制動力を付与する構成となっており、本実施形態では、環状に構成され前記導電体２５の内面側に所定間隔をおいて対向配設される内側磁石３１と、環状に構成され前記導電体２５の外面側に所定間隔をおいて配設される外側磁石３２とを備えている。これにより、前記導電体２５は、内側磁石３１、及び外側磁石３２の間の隙間に生じる磁界内に進退可能となっており、スプール５ａに磁気制動力を作用させる。
【００１８】
前記環状に構成される内側磁石３１は、内側ホルダ３３によって左フレーム３ａに固定されており、前記環状に構成される外側磁石３２は、外側ホルダ３４によって内側磁石３１に対して周方向に回転可能に保持されている。このため、外側磁石３２が周方向に回転することで、内側磁石３１との間で磁極が変化し、両者の間に進退する導電体２５に作用する磁気制動力を調整することが可能となる。
【００１９】
上記した外側ホルダ３４は、左カバー２ａに回転自在に支持された制動力調節体（調節ツマミ）５０に連結されており、調節ツマミ５０を回転操作することで外側ホルダ３４を回転させ、内側磁石３１に対する外側磁石３２の位置を変更（制動装置２０の制動力を増減調節）するように構成されている。具体的には、外側ホルダ３４には、外歯３４ａが形成されており、この外歯３４ａに調節ツマミ５０と一体回転する連結部（歯車）５１を噛合させることで、調節ツマミ５０の回転により外側ホルダ３４が回転するようになっている。
【００２０】
前記調節ツマミ５０は、指で回転操作可能となるように、左カバー２ａから露出し軸方向外方に向けて突出する円筒状（円柱状）の操作部５２と、操作部５２の略中央領域で左フレーム側に向けて突出する軸部５３とを備えている。
【００２１】
前記軸部５３は、左カバー２ａに対して回転可能な状態で抜け止め支持されている。本実施形態では、左カバー２ａには、凹所２ｃが形成されており、この部分に軸部５３を設置すると共に、軸部５３の端部に係止部５５を設け、凹所２ｃの底壁で軸部５３を抜け止め支持している。具体的には、軸部５３に軸方向に延出する貫通孔５５ａを形成しておき、この貫通孔５５ａに止めビス５５ｂを螺入することで、軸部５３（調節ツマミ５０）を左カバー２ａに対して抜け止め支持している。
【００２２】
上記したように、前記軸部５３の端部側には、前記外側ホルダ３４に形成された外歯３４ａと噛合するように連結部（歯車）５１が一体形成されている。この場合、連結部５１は、図２に示すように、軸部５３に一体形成されて凹所２ｃ内に位置しているが、軸部５３に対して別体の歯車を取着した構成であっても良い。
【００２３】
さらに、前記調節ツマミ５０は、操作部５２の軸方向の内側に、操作部５２の外径より大径となる環状部５７が一体形成されており、この環状部５７は、左カバー２ａに形成された環状の開口２ｄに対して支持されている。この場合、環状の開口２ｄは、左カバー２ａに直接形成されていても良いが、図に示すように、左カバー２ａに、別体として固定されるカバー体２ｅに形成されていても良い。そして、このような別体として形成されるカバー体２ｅについては、例えば、アルミニウム合金、銅合金、ステンレス鋼等の金属を切削加工することで形成することが好ましい。
【００２４】
本実施形態における環状部５７の外周面には、円周溝５７ａが一体形成されており、この円周溝５７ａに、前記カバー体２ｅに形成された開口２ｄの内周面に対して摺接可能なリング状の弾性部材６０が介在されている。この弾性部材６０は、環状部５７を摺接支持して調節ツマミ５０をガタ付きなく支持させる機能を有する。
【００２５】
また、前記環状部５７の内面には、図３及び図４に示すように、円周方向に沿って連続的に周方向凹凸部５７ｂが形成されており、この周方向凹凸部５７ｂには、左カバー２ａに装着された係合部材６２が係合されている。
【００２６】
前記係合部材６２は、リーフスプリングとして略環状に一体形成されており、バネ付勢された状態で周方向凹凸部５７ｂに係合されている。具体的にリーフスプリングとして略環状に一体形成された係合部材６２は、その環状部６２ｂが左カバー２ａに形成された略円弧状の支持突起２ｆの内側に係止されており、中央部分に突出形成された凸部６２ａが支持突起２ｆの開口２ｇから突出して、前記周方向凹凸部５７ｂに対して弾発的に係合されている。
【００２７】
また、左カバー２ａには、規制突起２ｈが突出形成されており、ここに、前記調節ツマミ５０を回転操作した際、調節ツマミ５０の軸部５３の基端側外周に形成された規制部（度当て）５３ａ，５３ｂが当て付いて、その回転を規制するようにしている。なお、この規制部５３ａ，５３ｂは、それぞれ、制動装置２０による制動力がＭａｘになったとき、及びＭｉｎになったときに対応付けされており、調節ツマミ５０を回転操作して、規制部５３ａ，５３ｂが規制突起２ｈに当て付くことで、その回転が規制される。
【００２８】
上記したように、調節ツマミ５０を回転操作することで、バネ付勢された係合部材６２の凸部６２ａに対して周方向凹凸部５７ｂが回転しながら係合するため、調節ツマミ５０の回転に抵抗力が付与されることとなり、節度が生じる（規則正しいクリック音が発生する）ようになる。
【００２９】
そして、前記周方向凹凸部５７ｂの一部には、前記係合部材６２の係合状態（凸部６２ａの係合状態）を変化させる係合変化部７０が設けられている。この係合変化部７０は、調節ツマミ５０を回転操作した際、上記した規則正しいクリック音に対し、異なる作動音を生じさせるものであれば良く、本実施形態では、周方向凹凸部５７ｂの一部に、凹部の溝幅を広くした幅広凹部７１を一体形成することで構成されている。
【００３０】
すなわち、周方向凹凸部５７ｂの一部に幅広凹部７１を形成しておくことで、周方向凹凸部５７ｂに対して弾発係合する係合部材の凸部６２ａの衝接面積と衝接力が変化するため、調節ツマミ５０を回転操作した際、それまでの規則正しいクリック音に対し、異なる作動音を生じさせることが可能となる。このため、釣人は、調節ツマミ５０を回転操作してスプールに対する制動力を調節する際に、音質が異なる作動音を、聴覚や指の感覚を通して認識できるようになる。
【００３１】
本実施形態では、図５及び図６に示すように、係合変化部７０は、調節ツマミ５０を回転操作した際、調節ツマミ５０の軸部５３の基端側外周に形成された規制部（度当て）５３ｂが当て付いて、その回転を規制する位置（制動装置２０による制動力がＭｉｎになった位置）に対応付けされて形成されている。すなわち、調節ツマミ５０を回転操作して制動力が最小となったときに、クリック音の音質が変化するようになっており、調節ツマミ５０を回転操作して度当てによって回転が規制された際、それが制動力Ｍａｘなのか、制動力Ｍｉｎになったのかを感覚的に認識できるようになる（音質が変化することなく回転が規制されれば制動力Ｍａｘであり、音質が変化して回転が規制されれば制動力Ｍｉｎである）。
【００３２】
この結果、従来のように、制動力のＭａｘ位置とＭｉｎ位置を、調節ツマミの回転を規制（度当て）して行う構成では、調節ツマミの回転方向に抵抗力を付与して節度を与えていることから、Ｍａｘ位置又はＭｉｎ位置の抵抗・節度感が、度当てによるものか、バネの回転節度によるかの判別が難しかったが、上記のように、係合変化部７０を設けたことで、Ｍａｘ位置又はＭｉｎ位置を感覚的に確実に判別することができるようになる。
【００３３】
もちろん、上記したような係合変化部７０は、調節ツマミ５０の制動Ｍａｘ位置に対応付けされて設けられていても良いし、或いは、制動Ｍａｘ位置と制動Ｍｉｎ位置の中間位置に対応付けされて設けられていても良い。このように、音質が変わる部分を中間位置に設けておくことで、スプールに作用する制動力の作用範囲の平均位置を感覚的に容易に把握できるようになる。
【００３４】
以上、本発明の実施形態について説明したが、本発明は、上記した実施形態に限定されることはなく、種々変形することが可能である。
【００３５】
上記した実施形態における係合変化部は、周方向凹凸部５７ｂの一部に、凹部の溝幅を広くした幅広凹部７１を一体形成することで構成されていたが、図７に示すように、材質を変えることで構成することも可能である。例えば、周方向凹凸部５７ｂを合成樹脂で一体形成すると共に、係合変化部７０が設けられる所定の位置に開口７３を形成しておき、ここに金属のような異種材料で形成した幅広凹部７１Ａ（幅広でなくても良い）を装着することで、弾発係合時の振動、共鳴具合が変化し、クリック音の音質を変化させることが可能となる。
【００３６】
或いは、係合変化部７０は、凹部の溝幅を同一にして異種材料で形成しても良いし、また、周方向凹凸部５７ｂの凹部の深さを変えることで構成することも可能である。このように、凹部の深さを変えることで、係合部材６２の凸部６２ａの弾発係合時の衝接力が変化して、クリック音の音質を変化させることが可能となる。
【００３７】
このように、クリック音を変化させることができれば、係合変化部の構成については、適宜変形することが可能である。
【００３８】
また、上記した係合部材６２を調節ツマミ５０側に設け、周方向凹凸５７ｂをリール本体側に設けた構成であっても良い。さらに、制動装置２０については、調節ツマミを回転操作した際に、スプールに対して制動力が調整できれば良く、その構成については、適宜変形することが可能である。
【図面の簡単な説明】
【００３９】
【図１】本発明に係る魚釣用リールの一実施形態を示す図であり、内部構成を示した平面図。
【図２】図１に示す魚釣用リールの主要部を拡大して示す図。
【図３】制動力調節体の内部構成を示した側面図。
【図４】図３の主要部を拡大して示す図。
【図５】制動装置の制動力がＭｉｎになったときの制動力調節体の内部構成を示した側面図。
【図６】図５に示した主要部の拡大図。
【図７】係合変化部の変形例を示す図。
【符号の説明】
【００４０】
１  リール本体
１Ａ，１Ｂ  左右側板
２ａ，２ｂ  左右カバー
３ａ，３ｂ  左右フレーム
５ａ  スプール
２０  制動装置
５０  調節ツマミ
５７ｂ  周方向凹凸部
６２  係合部材
７０  係合変化部
【図１】
2009142213.tif 000003
【図２】
2009142213.tif 000004
【図３】
2009142213.tif 000005
【図４】
2009142213.tif 000006
【図５】
2009142213.tif 000007
【図６】
2009142213.tif 000008
【図７】
2009142213.tif 000009